(57)【特許請求の範囲】
【請求項１】
連続気孔を有する多孔性基板の印面部分に多数の点状発熱素子を押圧し、その点状発熱素子を印字ドットパターンに従って選択的に発熱させ、その発熱した素子に対応する前記印面部分を溶融固化せしめてインクの透過を阻止する薄膜層とし、前記発熱しなかった素子に対応する前記印面部分をインクの透過を許容する印字部として形成し、
前記多孔性基板として、その印面部分を網点状に溶融固化せしめてインクの透過量を均一に抑える網点膜層を形成したものを使用したことを特徴とする印判の製造方法。
【請求項２】
前記網点膜層の個々の網点が、前記多数の点状発熱素子の各素子の基板押圧面のサイズよりも小さく形成された多孔性基板を使用したことを特徴とする請求項１に記載の印判の製造方法。
【請求項３】
連続気孔を有する多孔性基板の印面部分に多数の点状発熱素子を押圧し、その点状発熱素子を印字ドットパターンに従って選択的に発熱させ、その発熱した素子に対応する前記印面部分を溶融固化せしめてインクの透過を阻止する薄膜層とし、前記発熱しなかった素子に対応する前記印面部分をインクの透過を許容する印字部として形成する印判の製造方法において、
前記薄膜層及び印字部の形成に先立って、前記多孔性基板の印面部分に対して前記点状発熱素子を押圧し、その点状発熱素子を網点状に選択的に発熱させ、その発熱した素子に対応する前記印面部分を溶融固化せしめてインクの透過量を均一に抑える網点膜層を予め形成することを特徴とする印判の製造方法。
【請求項４】
前記多数の点状発熱素子を有する発熱手段と、
その発熱手段の点状発熱素子を前記多孔性基板の印面部分に押圧する押圧手段と、
その押圧手段によって前記印面部分に押圧された前記発熱手段の点状発熱素子を印字ドットパターンに従って選択的に発熱させ、その発熱した素子に対応する印面部分を溶融固化せしめてインクの透過を阻止する薄膜層に形成させ、かつ発熱しなかった素子に対応する印面部分をインクの透過を許容する印字部として形成させる制御手段と、
前記多孔性基板と前記押圧手段とを相対的に移動する駆動手段とを備え、
前記制御手段は、前記薄膜層及び印字部の形成に先立って、前記点状発熱素子を網点状に発熱させるための網点状パターンに基づいて点状発熱素子を選択的に発熱させ、その発熱した素子に対応する印面部分を溶融固化せしめてインクの透過を阻止する網点膜層を形成するように制御することを特徴とする印判製造装置。
【発明の詳細な説明】
【０００１】
【発明の属する技術分野】
本発明は連続して押印することが可能な印判の製造方法及びその装置に関するものである。
【０００２】
【従来の技術】
従来、連続押印可能な印判として連続気孔を有する多孔性基板を用いた印判において、この印面部を加熱によって形成されたインクの透過を阻止する薄膜層と、前記基板内部の連続気孔と連通してインクの透過を許容する前記薄膜層から突出した印字部とを有するものが知られている。
【０００３】
この印判は、特開平６−２４１１４号公報に示されるように、文字、図形等の印字転写部を突部として形成するために、前記文字、図形等の部分が凹部となった感光性樹脂で形成された母型を用いて、前記母型を予め加熱しておき、この母型に連続気孔を有する多孔性基板の一面を接触させて溶融固化せしめ、これをインクの透過を阻止する薄膜層とし、残りの部分をインクの透過を許容する印字部とすることによって製造されていた。
【０００４】
【発明が解決しようとする課題】
しかしながら、上記印判の製造方法では、印判の文字、図形等の部分が凹部となった感光性樹脂等で形成された母型を作成する必要があり、連続気孔を有する多孔性基板を溶融させるために、前記母型を特定の温度に加熱する必要があり製造方法が煩雑であった。また、こうして製作された印判を用いて捺印をした結果で押圧によってインクの紙面への転写量は印字部の面積が小さい部分、例えば、細い線の部分では適当な陰影をえられるが、太い線や、記号を用いたべた部分が多い所では紙面に転写されるインクの量が多すぎて滲んだり、インクの乾燥性が悪かったりした。
【０００５】
本発明は、上述した問題点を解決するためになされたものであり、印判の製造方法の煩雑さをなくし、より簡単に連続気孔を有する多孔性基板を用いて印判を製造することができるとともに、捺印時には印字の陰影が均一で滲みがなく乾燥性もよい印判を製造する方法及びその装置を提供することを目的としている。
【０００６】
【課題を解決するための手段】
この目的を達成するために、本発明の請求項１に記載の印判の製造方法は、連続気孔を有する多孔性基板の印面部分に多数の点状発熱素子を押圧し、その点状発熱素子を印字ドットパターンに従って選択的に発熱させ、その発熱した素子に対応する前記印面部分を溶融固化せしめてインクの透過を阻止する薄膜層とし、前記発熱しなかった素子に対応する前記印面部分をインクの透過を許容する印字部として形成し、前記多孔性基板として、その印面部分を網点状に溶融固化せしめてインクの透過量を均一に抑える網点膜層を形成したものを使用したことを特徴とする。
【０００７】
【０００８】
また、請求項２に記載の印判の製造方法は、前記網点膜層の個々の網点が、前記多数の点状発熱素子の各素子の基板押圧面のサイズよりも小さく形成された多孔性基板を使用しているので、前記点状発熱素子の解像度を損なうことなく印字部を形成することができる。
【０００９】
また、請求項３に記載の印判の製造方法は、連続気孔を有する多孔性基板の印面部分に多数の点状発熱素子を押圧し、その点状発熱素子を印字ドットパターンに従って選択的に発熱させ、その発熱した素子に対応する前記印面部分を溶融固化せしめてインクの透過を阻止する薄膜層とし、前記発熱しなかった素子に対応する前記印面部分をインクの透過を許容する印字部として形成する印判の製造方法において、前記薄膜層及び印字部の形成に先立って、前記多孔性基板の印面部分に対して前記点状発熱素子を押圧し、その点状発熱素子を網点状に選択的に発熱させ、その発熱した素子に対応する前記印面部分を溶融固化せしめてインクの透過量を均一に抑える網点膜層を予め形成するので、この網点膜層が形成された多孔性基板に対して前記薄膜層及び印字部を形成した場合、インクの透過量を均一に抑えることができる。
【００１０】
【００１１】
さらに、本発明の請求項４に記載の印判製造装置は、前記多数の点状発熱素子を有する発熱手段と、その発熱手段の点状発熱素子を前記多孔性基板の印面部分に押圧する押圧手段と、その押圧手段によって前記印面部分に押圧された前記発熱手段の点状発熱素子を印字ドットパターンに従って選択的に発熱させ、その発熱した素子に対応する印面部分を溶融固化せしめてインクの透過を阻止する薄膜層に形成させ、かつ発熱しなかった素子に対応する印面部分をインクの透過を許容する印字部として形成させる制御手段と、前記多孔性基板と前記押圧手段とを相対的に移動する駆動手段とを備え、前記制御手段が、前記薄膜層及び印字部の形成に先立って、前記点状発熱素子を網点状に発熱させるための網点状パターンに基づいて点状発熱素子を選択的に発熱させ、その発熱した素子に対応する印面部分を溶融固化せしめてインクの透過を阻止する網点膜層を形成するように制御することを特徴とする。
【００１２】
従って、押圧手段が発熱手段の点状発熱素子を多孔性基板の印面部分に押圧し、制御手段がその押圧手段によって前記印面部分に押圧された前記発熱手段の点状発熱素子を印字ドットパターンに従って選択的に発熱させ、その発熱した素子に対応する印面部分を溶融固化せしめてインクの透過を阻止する薄膜層に形成させ、かつ発熱しなかった素子に対応する印面部分をインクの透過を許容する印字部として形成させ、駆動手段が前記多孔性基板と前記押圧手段とを相対的に移動することにより、印判を製造することができる。また、この網点膜層が形成された多孔性基板に対して薄膜層及び印字部を形成した場合、インクの透過量を均一に抑えた品質のよい印判を製造することができる。
【００１３】
【００１４】
【００１５】
【発明の実施の形態】
以下、本発明の印判の製造方法及びその装置を具体化した実施の形態について図面を参照して説明する。
【００１６】
まず、第１の実施形態について説明する。印判を作成するための多孔性基板の斜視図を図１に示す。本実施形態において使用する多孔性基板１は、微細な連続気孔を有する硬質、半硬質のポリオレフィン系の樹脂板である。また、ポリウレタン、塩化ビニル樹脂、ＡＢＳ樹脂、エチレン−酢酸ビニル共重合体、その他の樹脂からなる微細な連続気孔を有する材料も使用することができ、さらに、天然ゴム、合成ゴム系の材料を使用することもできる。これらの材料は、発泡後外面を覆う表皮を除いて平板状にスライスしたものを使用してもよいし、印面側として発泡させるための型に当たっている面を使用してもよい。
【００１７】
この型に当たった面は発泡条件によって、前記多孔性基板の微細な連続気孔とつながって、更に微細な気孔を形成することも可能である。
【００１８】
次に、図１に示した多孔性基板１を実際に使用する印判のサイズに前加工した状態を示す斜視図を図２に示す。ここで、図２中の上面部の気孔６のある部分が印面部として使用される。残りの各面３、４、５は加熱された型で面押しされて気孔６が溶融固化されインク不透過性の薄膜層で覆われた状態を示している。気孔６が存在する凸部領域２が印面形成が可能な領域となる。このものを印判用部材７とする。
【００１９】
前記印判用部材７を保持するスタンパ３５の断面図を図３に示す。図３に示すように、前記印判用部材７は、プラスチック、金属等のケース３１におさめて使用できるように構成されている。また、印判用部材７の側面３は、接着剤層３０によってケース３１に固定されている。印判用部材７の裏面にはスポンジ等で形成されるインク保持層３２が置かれており、インクはここから常時印判用部材７の連続気孔を通して凸部領域２１に供給される。更に、インク保持層３２の上部には格子状支持部材３３が設けられており、これによって浸透式スタンプ印判２０は押印時にも平面に保持されるようになっている。また、取っ手部３４はケース３１と係合されておりインクをインク保持層３２に補給するときには取り外すことが可能となっている。
【００２０】
続いて、本実施形態の印判製造装置について図４〜図８に基づいて説明する。
【００２１】
印判製造装置６１の外観を図４に示す。印判製造装置６１は、前面にキー入力部１０６を備え、キー入力部１０６の上方に表示部１０５が設けられている。表示部１０５の後方には、後述するサーマルヘッド等を含む製版部（図示せず）が設けられており、開閉蓋１０４を開いて前記スタンパ３５を前記製版部に対して着脱可能に構成されている。
【００２２】
前記キー入力部１０６には、文字や記号等を入力するための文字キー、カーソルキー及び製版実行等の各種指示を入力するためのキー等が設けられており、このキー入力部１０６から入力された文字や記号等が表示部１０５に表示される。
【００２３】
次に、製版部について図５〜図８に基づいて説明する。
【００２４】
印版製造装置６１のサブフレーム６０の右端壁６２と左端壁６３とに亙って、キャリッジ６４を案内する為の左右方向に延びるガイドロッド６５と、キャリッジ６４を案内し且つキャリッジ６４に搭載されたサーマルヘッド１０の位置を切換えるカム体６７を操作する為の左右方向に延びるヘッド切換えロッド６６とが架着され、カム体６７は、ヘッド切換えロッド６６に回動不能かつ軸方向へスライド自在に装着されている。
【００２５】
そして、スタンパ３５は、図５及び図６において、図示しない支持部材に固定されている。
【００２６】
前記キャリッジ６４は、ガイドロッド６５とヘッド切換えロッド６６とに、左右方向に移動自在に支持され、キャリッジ６４の前端部には、その全長に亙る所定の長さのラック６８が形成されている。
【００２７】
前記キャリッジ６４には、カム当接板６９と、ヘッド放熱板７０とが、前後方向向きの支軸７１により上下揺動自在に装着され、ヘッド放熱板７０には、サーマルヘッド１０が固定され、ヘッド放熱板７０は、それに固定されたピン７２に外装されたバネ１２によって、カム当接板６９に対して上方へ弾性付勢されている。
【００２８】
前記カム体６７は、楕円形状に形成されて、カム当接板６９の下面に当接され、ヘッド切換えロッド６６を回動させてカム体６７を横向き姿勢にすると、サーマルヘッド１０はヘッド放熱板７０とともに下方へリリースされ、また、カム体６７を立向き姿勢にすると、サーマルヘッド１０は、カム当接板６９とバネ１２を介して、上方へ揺動して溶融位置に切換えられる。
【００２９】
前記ヘッド切換えロッド６６の右端部には、サブフレーム６０の右端壁６２の外側において、ギヤ７３が設けられ、ギヤ７３の回転角度に応じてカム体６７が横向き姿勢あるいは立て向き姿勢に切換えられるように構成してある。
【００３０】
前記サブフレーム６０の前壁７４には、キャリッジ６４を駆動するキャリッジ送りモータ７５と、ラック６８に噛合した駆動ギヤ７６と、キャリッジ送りモータ７５の出力軸の出力ギヤ７７の回転を駆動ギヤ７６に伝達する減速ギヤ機構８１とが付設されている。それ故、キャリッジ送りモータ７５の回転駆動力が駆動ギヤ７６に減速して伝達されるため、キャリッジ送りモータ７５により、キャリッジ６４を左右方向へ移動駆動することができる。
【００３１】
前記サーマルヘッド１０は、サーマルプリンタのサーマルヘッドと同様のもので、このサーマルヘッド１０には、例えば９６個の点状発熱素子１１が１列に設けられている。
【００３２】
次に、前記印判製造装置６１を駆動制御する制御ユニット７８を含む制御系について図９を参照して説明する。
【００３３】
制御ユニット７８は、ＣＰＵ、印字ドットパターン等のデータが記憶されているＲＯＭ、キー入力部１０６から入力されるデータ等を記憶するＲＡＭ、及び入出力インタフェース等から構成され、ヘッド駆動回路７９とモータ駆動回路８０とに接続されている。さらに、ヘッド駆動回路７９はサーマルヘッド１０に、モータ駆動回路８０はキャリッジ送りモータ７５にそれぞれ接続されている。また、制御ユニット７８は、キー入力部１０６及び表示部１０５が接続されている。
尚、サーマルヘッド１０は本発明の発熱手段を、バネ１２は押圧手段を、制御ユニット７８は制御手段及びパターン合成手段を、キャリッジ送りモータ７５は駆動手段をそれぞれ構成するものである。
【００３４】
次に、以上のように構成される印判製造装置６１を用いて浸透式スタンプ印判２０に文字列の印字部とならない部分を溶融固化せしめてインクの透過を阻止する薄膜層を形成する処理について説明する。尚、予め、キー入力部１０６により作成しようとする印面の文字や記号等のデータが入力され、ＲＡＭ内に記憶されているものとする。
【００３５】
製版の指示がなされると、まず、ヘッド切り替えロッド６６を回転し、装着されているカム体６７を立て向き姿勢とする。すると、サーマルヘッド１０がカム当接板６９とバネ１２を介して上方へ揺動し、図５に示すスタンプ体３５に装着されている浸透式スタンプ印判２０右端を押圧する溶融位置に配置される。
【００３６】
次に、キャリッジ送りモータ７５が駆動され、サーマルヘッド１０が浸透式スタンプ印判２０を一定の圧力で押圧した状態を保ちつつ、キャリッジ６４が浸透式スタンプ印判２０の右端から移動しはじめ、図５の実線で示す位置からさらに二点鎖線で示す位置まで移動する。同時に、サーマルヘッド１０に設けられた点状発熱素子１１が印字ドットパターンに基づいて印字部分以外に相当する領域において発熱して印面部分を溶融固化し、インクの透過を阻止する薄膜層を形成するとともに、残った部分がインクの透過を許容する印字部として形成される。
【００３７】
上記操作によって形成された浸透式スタンプ印判２０の斜視図を図１０に示す。溶融固化しインクの透過を阻止する薄膜層２２と溶融固化されないで残ったインクの透過を許容する印字部２１とが形成されている。
【００３８】
以上の構成を有する印判製造装置６１を使用した場合、従来のような印面に合わせた型をいちいち作成する必要がなく印判に合わせた印字ドットパターンのデータを編集し、そのデータに合わせてサーマルヘッド１０の移動および発熱体１１の発熱を逐次制御すればよく、印判用部材７が予め用意されていれば必要な印判を必要なときに、その場で作成することができるので、印判の製造方法が煩雑でなく、より簡単に連続気孔を有する多孔性基板を用いた印判の製造をすることができる。
【００３９】
尚、前記印判用部材７は、予め印面部に網点膜層を設けておくと、均一にインクの透過を抑制することができるので、捺印する際にインクの紙面への転写量を適当に制御し、滲みがなく乾燥性のよい印判を製造することができる。
【００４０】
上記図１に示した多孔性基板１において、印面として使用する面全体に網点膜層４１を形成したものに対し、さらに、上記図２に示す印判用部材７と同様の処理を施した印判用部材４０を図１１に示す。また、印判用部材４０の一部を拡大したものを図１２に示す。図１２中の白い部分が気孔６が溶融固化されインク不透過性の薄膜層４で覆われた状態を示しており、同じくインク不透過性の網点４６を示している。黒い四角で塗りつぶされた部分は溶融固化されていないインク透過性の網点４５を示している。
【００４１】
次に、前記網点膜層４１の作成方法について説明する。感光性樹脂で網点状に凹部を形成した網点型、または金属の表面をエッチングにより網点状に凹部を形成した網点型を作成する。その網点型を予め加熱しておき、多孔性基板１の印面として使用する面を押圧させる。これにより多孔性基板１の印面として使用する面全体に、溶融固化されたインク不透過性の網点４６と溶融固化されていないインク透過性の網点４５が形成される。
【００４２】
ここで、各網点のサイズを前記点状発熱素子１１の基板押圧面のサイズより小さく設定すると、網点膜層を有しない印判用部材７を使用した場合と比較して前記印判製造装置６１により形成された印字部の品質が低下することがない。例えば、点状発熱素子が縦１２６μｍ・横１８０μｍの長方形である場合、網点は一辺が約５０μｍから約７０μｍ程度以下の正方形とすればよい。この印判に、上記図２に示すように実際に使用する印判のサイズに前加工を施せば、図１１に示すような印判用部材４０ができ上がる。
【００４３】
この印判用部材４０を使用して、前記印判製造装置６１により製造した浸透式スタンプ印判５０の斜視図を図１３に示す。浸透式スタンプ印判５０の印字部５１は、網点膜層４１が形成されているので、インクの転写量を適度に抑えた印字領域となり、滲みのない印字結果を得ることができる。
【００４４】
続いて、第２の実施形態について説明する。
【００４５】
使用する多孔性基板は、第１の実施形態において使用したものと同じであり、また、印判製造装置についても基本的な構成は共通であるため、その説明を省略する。
【００４６】
ここで、上記第１の実施形態においては、加熱した網点型を用いて多孔性基板１に網点膜層４１を形成したが、第２の実施形態においては、網点型を使用せずに、印判製造装置６１のサーマルヘッド１０により網点膜層４１を形成する。
【００４７】
図９中の制御ユニット７８内のＲＯＭには、ヘッド駆動回路７９を介してサーマルヘッド１０を駆動するための各種プログラムや制御データが格納されており、印面部を網点状に溶融固化させる、即ち網点膜層４１を形成するための制御データも格納されている。この制御データは、サーマルヘッド１０の点状発熱素子１１のラインの奇数位置にある素子と偶数位置にある素子、更にサーマルヘッド１０の移動方向における奇数ラインの位置と偶数ラインの位置のそれぞれに対応して例えば奇数ラインの位置においてはサーマルヘッド１０の奇数位置にある素子を印字データとは無関係に溶融するデータとし、次に偶数ラインの位置においてはサーマルヘッド１０の偶数位置にある素子を印字データとは無関係に溶融するデータである。この制御データに基づいてサーマルヘッド１０が駆動され、網点膜層４１が形成される。
【００４８】
そして、印判製造装置６１に印判用部材７を備えたスタンパ３５を装着し、キー入力部１０６により網点処理を指示すると、前記制御データに基づいてサーマルヘッド１０が駆動され、印面に網点膜層４１が形成される。この網点膜層４１の形成が完了すると、サーマルヘッド１０は、図５において実線で示される位置に戻される。続いて、製版が指示されると、第１の実施形態の場合と同様に、印字ドットパターンに基づいてサーマルヘッド１０を選択的に発熱させ、印面部分の印字部分以外に相当する領域を溶融固化させ、インクの透過を阻止する薄膜層を形成する。溶融固化されない印字部分では、先に形成した網点膜層４１が維持されており、インクの透過を許容する印字部として形成される。このようにして形成された浸透式スタンプ印判１１０の印面部の様子を図１４に示す。図１４中の白い部分が気孔６が溶融固化されてインク不透過性の領域であり、黒い部分が溶融固化されていないインク透過性の捺印に有効となる領域である。印字部１１２は、網点膜層４１によってインクの転写量を適度に抑えた印字領域となり、滲みのない印字結果を得ることができる。
【００４９】
この第２実施形態においては、網点膜層４１をサーマルヘッド１０により予め形成しておき、その後に印字部１１２及び薄膜層１１３を形成するように構成したが、網点膜層４１と印字部１１２及び薄膜層１１３とを一回の処理で形成するようにサーマルヘッド１０を制御することも可能である。
【００５０】
この場合、網点膜層４１を形成するための上記制御データと印字部１１２及び薄膜層１１３を形成するための印字ドットパターンに基づくデータとを制御ユニット７８において合成し、合成データを作成する必要がある。この合成データは、文字や図形等の形状に表された印字部以外の領域を溶融固化させるために、印字部以外の領域に対応するサーマルヘッド１０の点状発熱素子１１を発熱させるようにし、また、印字部においても、溶融固化した部分としていない部分とが網点状になるように点状発熱素子１１を発熱させるようにするためのデータである。
【００５１】
そして、サーマルヘッド１０の点状発熱素子１１を合成データに基づいて発熱させることにより、印字部以外の領域、及び印字部における網点部分に相当する領域との両方を一回の処理で溶融固化できる。
【００５２】
以上の処理により、印字部分においては、網点状の発熱パターンによって、インクの転写量を適度に押さえた印字領域を形成し、印字部分以外に相当する領域においては全発熱素子が発熱して印面部分を溶融固化し、インクの透過を阻止する薄膜層が形成される。この方法によれば、短時間で印字品質のよい印面を作成することができる。
【００５３】
尚、このような網点膜層の形成は、太い線や、記号を用いたべた部分が多い場合に特に有効である。従って、網点膜層を形成する必要があるか否かをユーザー自身が判断し、必要に応じてキー入力部１０６により網点処理を指示して網点膜層を形成すればよく、作成しようとする印面に応じた製版方法を選択することが可能になる。
【００５４】
本発明は以上詳述した実施例に限定されるものではなく、その要旨を逸脱しない範囲において、種々の変更を加えることができる。
【００５５】
例えば、上記実施形態において、印判用部材７，４０を固定としサーマルヘッド１０を移動させる構成としたが、サーマルヘッド１０を固定とし印判用部材７，４０を移動させる構成としてもよい。
【００５６】
【発明の効果】
以上説明したことから明らかなように、本発明の請求項１に記載の印判の製造方法は、連続気孔を有する多孔性基板の印面部分に多数の点状発熱素子を押圧し、その点状発熱素子を印字ドットパターンに従って選択的に発熱させ、その発熱した素子に対応する前記印面部分を溶融固化せしめてインクの透過を阻止する薄膜層とし、前記発熱しなかった素子に対応する前記印面部分をインクの透過を許容する印字部として形成するため、文字や図形等の部分が凹部となった感光性樹脂等で形成された母型を作成する必要もなく、連続気孔を有する多孔性基板を溶融させるために、前記母型を特定の温度に加熱する必要もなく、より簡単に印判を製造することができる。さらに、多孔性基板として、その印面部分を網点状に溶融固化せしめてインクの透過量を均一に抑える網点膜層を形成したものを使用しているので、インクの透過量を均一に抑えることができる。
【００５７】
【００５８】
また、請求項２に記載の印判の製造方法によれば、網点膜層の個々の網点が、前記多数の点状発熱素子の各素子の基板押圧面のサイズよりも小さく形成された多孔性基板を使用しているので、前記点状発熱素子の解像度を損なうことなく印字部を形成することができる。
【００５９】
また、請求項３に記載の印判の製造方法によれば、連続気孔を有する多孔性基板の印面部分に多数の点状発熱素子を押圧し、その点状発熱素子を印字ドットパターンに従って選択的に発熱させ、その発熱した素子に対応する前記印面部分を溶融固化せしめてインクの透過を阻止する薄膜層とし、前記発熱しなかった素子に対応する前記印面部分をインクの透過を許容する印字部として形成するため、文字や図形等の部分が凹部となった感光性樹脂等で形成された母型を作成する必要もなく、連続気孔を有する多孔性基板を溶融させるために、前記母型を特定の温度に加熱する必要もなく、より簡単に印判を製造することができる。さらに、前記薄膜層及び印字部の形成に先立って、多孔性基板の印面部分に対して前記点状発熱素子を押圧し、その点状発熱素子を網点状に選択的に発熱させ、その発熱した素子に対応する前記印面部分を溶融固化せしめてインクの透過量を均一に抑える網点膜層を予め形成するので、この網点膜層が形成された多孔性基板に対して前記薄膜層及び印字部を形成した場合、インクの透過量を均一に抑えることができる。
【００６０】
【００６１】
さらに、本発明の請求項４に記載の印判製造装置によれば、多数の点状発熱素子を有する発熱手段と、その発熱手段の点状発熱素子を前記多孔性基板の印面部分に押圧する押圧手段と、その押圧手段によって前記印面部分に押圧された前記発熱手段の点状発熱素子を印字ドットパターンに従って選択的に発熱させ、その発熱した素子に対応する印面部分を溶融固化せしめてインクの透過を阻止する薄膜層に形成させ、かつ発熱しなかった素子に対応する印面部分をインクの透過を許容する印字部として形成させる制御手段と、前記多孔性基板と前記押圧手段とを相対的に移動する駆動手段とを備えているので、文字や図形等の部分が凹部となった感光性樹脂等で形成された母型を作成する必要もなく、連続気孔を有する多孔性基板を溶融させるために、前母型を特定の温度に加熱する必要もなく、より簡単に印判を製造することができる。さらに、制御手段が、前記薄膜層及び印字部の形成に先立って、前記点状発熱素子を網点状に発熱させるための網点状パターンに基づいて点状発熱素子を選択的に発熱させ、その発熱した素子に対応する印面部分を溶融固化せしめてインクの透過を阻止する網点膜層を形成するように制御するので、この網点膜層が形成された多孔性基板に対して薄膜層及び印字部を形成した場合、インクの透過量を均一に抑えた品質のよい印判を製造することができる。
【図面の簡単な説明】
【図１】  多孔性基板を使用する印判のサイズに前加工した状態を示す斜視図である。
【図２】  印判を作成するための多孔性基板を示す斜視図である。
【図３】  浸透式スタンプ印判をスタンプとして保持するスタンパの断面図である。
【図４】  印版製造装置の外観図である。
【図５】  スタンプ体と製版部の縦断正面図である。
【図６】  スタンプ体と製版部の縦断側面図である。
【図７】  印判製造装置の製版部の斜視図である。
【図８】  製版部の分解斜視図である。
【図９】  印判製造装置の制御系のブロック図である。
【図１０】  浸透式スタンプ印判の斜視図である。
【図１１】  網点膜層を形成した印判用部材を示す斜視図である。
【図１２】  網点膜層の拡大図である。
【図１３】  網点膜層が形成された浸透式スタンプ印判の斜視図である。
【図１４】  網点膜層が形成された浸透式スタンプ印判の正面図である。
【符号の説明】
１  多孔性基板
１０  サーマルヘッド
１１  点状発熱素子
１２  バネ
２０，５０，１１０  浸透式スタンプ印判
２１，５１，１１２  印字部
２２，１１３  薄膜層
５０  浸透式スタンプ印判
６１  印判製造装置
７５  キャリッジ送りモータ
７８  制御ユニット
【図１】
0003716503.tif 000002
【図２】
0003716503.tif 000003
【図３】
0003716503.tif 000004
【図４】
0003716503.tif 000005
【図５】
0003716503.tif 000006
【図６】
0003716503.tif 000007
【図７】
0003716503.tif 000008
【図８】
0003716503.tif 000009
【図９】
0003716503.tif 000010
【図１０】
0003716503.tif 000011
【図１１】
0003716503.tif 000012
【図１２】
0003716503.tif 000013
【図１３】
0003716503.tif 000014
【図１４】
0003716503.tif 000015